(57)【要約】【課題】  複合板でなる化粧板体において、組立工程の段階で、作業者が化粧パネルの縦幅方向及び横幅方向の向きを間違うという事態を起こりにくくする。組立後に仮に化粧パネルの縦幅方向及び横幅方向の向きが逆向きになっていることを容易に判断できるようにする。化粧パネルの裏面全体に容易に印刷を施すことを可能にする。【解決手段】  ベース板部１１と化粧パネル１５とを有する。ベース板部１１と化粧パネル１５との重なり面Ｓが、複合板の厚さ方向Ｔに対して傾斜している。重なり面Ｓは、その全体を平坦面によって形成する。化粧パネル１５として、表面光沢を有する透明な樹脂板を用いることにより、外観品位の高い開閉ドア１０を得ることができる。【選択図】        図１
2010272822.tif 000002
【特許請求の範囲】
【請求項１】
ベース板部とこのベース板部に重ね合わされて貼着された化粧パネルとを有する正面視矩形又は正面視略矩形の複合板でなり、
上記ベース板部と上記化粧パネルとの重なり面が、上記複合板の厚さ方向に対して上記複合板の一端縁からその反対側の他端縁に向かって傾斜していることを特徴とする電気機器の化粧板体。
【請求項２】
上記重なり面は、その全体が平坦面によって形成されている請求項１に記載した電気機器の化粧板体。
【請求項３】
上記化粧パネルが表面光沢を有する透明な樹脂板でなり、上記ベース板部に重なり合っている上記樹脂板の裏面に印刷が施されている請求項１又は請求項２に記載した電気機器の化粧板体。
【請求項４】
上記複合板によって、電気機器のキャビネット前面に設けられている開口窓に装備された横長の開閉ドアが形成されていて、上記重なり面は、その全体が平坦面でなりかつ当該複合板の縦幅方向の一端縁から縦幅方向の他端縁に向かって傾斜している請求項３に記載した電気機器の化粧板体。
【発明の詳細な説明】
【技術分野】
【０００１】
本発明は電気機器の化粧板体、特に、ベース板部とこのベース板部に重ね合わされて貼着された化粧パネルとを有する正面視矩形又は正面視略矩形の複合板でなる電気機器の化粧板体に関する。
【背景技術】
【０００２】
図６は、化粧板体Ａとしての複合板が開閉ドア１０に採用されている電気機器の要部を示した縦断面図である。同図の開閉ドア１０は、電気機器の筐体を形成しているフロントパネル２０に設けられている。さらに詳しくは、開口窓２１を備えたフロントパネル２０の裏側にヒンジ機構２２を介してアーム２３が取り付けられ、そのアーム２３の先端に、化粧板体Ａとしての複合板でなる開閉ドア１０が設けられている。アーム２３は、上記ヒンジ機構２２に装備されているばね体２４によって、開口窓２１の内側に引き込まれる方向に常時弾発付勢されている。
【０００３】
この電気機器では、筐体にＣＤ、ＤＶＤ、ＢＤなどのディスクを取り扱うディスク装置が収容されていて、そのディスク装置に備わっているディスクトレイ３１が矢印Ｒで示した前後方向に出退動作を行うようになっている。そして、ディスクトレイ３１が筐体の内部から開口窓２１を通して突出する動作に連動して、開閉ドア１０が矢印Ｏのように開口窓２１の前方に倒れ込んでその開口窓２１を開き、ディスクトレイ３１が開口窓２１の外側から開口窓２１を通して筐体の内部に引き込まれる動作に連動して、開閉ドア１０が上記ばね体２４の作用により矢印Ｃのように起立し、その開閉ドア１０が開口窓２１を塞ぐようになっている。
【０００４】
この種の電気機器では、開閉ドア１０の外観の良否が、電気機器全体のデザインや外観品位の良否に大きな影響を及ぼすことが判っている。そのような理由から、開閉ドア１０の外観品位を高めることなどを意図して、開閉ドア１０に、複合板でなる化粧板体Ａが多々採用されている。そして、複合板でなる化粧板体Ａを開閉ドア１０に採用することにより、たとえば図７に示したように、開閉ドア１０の表面に所定の文字や図柄Ｍなどを浮き上がらせて表示することが可能になる。
【０００５】
このような開閉ドア１０に採用されている化粧板体Ａとしての複合板の中で、樹脂成形体でなるベース板部とこのベース板部に重ね合わされて貼着された化粧パネルとを有する正面視矩形又は正面視略矩形の複合板によって構成されているものは、ベース板に重なり合っている化粧パネルとして透明な樹脂板が用いられていて、その樹脂板の裏面に上記した文字や図柄Ｍが印刷されていたり背景色が印刷されていたりする。なお、図７では、先端に開閉ドア１０が設けられている上記アーム２３が、上記ベース板部と一体に樹脂で一体成形されているものを示してある。
【０００６】
図８は従来例による化粧板体Ａとしての複合板を用いて製作された開閉ドア１０の概略分解側面図である。同図によって判るように、開閉ドア１０に採用されている化粧板体Ａは、上記アーム２３の先端に樹脂で一体に成形されたベース板部１１と、このベース板部１１と同等の横幅及び縦幅を有する化粧パネル１５と、を重ね合わせて貼着することによって形成される正面視矩形又は正面視略矩形の横長の複合板でなる。
【０００７】
このような横長の複合板でなる従来例の化粧板体Ａにおいて、ベース板部１１と化粧パネル１５との重なり面Ｓは、図示のように化粧板体Ａとしての複合板の厚さ方向Ｔに対して垂直な平坦面を形成している。また、ベース板部１１に貼着される化粧パネル１５において、その裏面に上記したような文字や図柄Ｍが印刷されていたりして外観形状やデザインが縦幅方向（上下方向）又は横幅方向（左右方向）で非対称の化粧パネル１５では、当該化粧パネル１５の縦幅方向や横幅方向を逆にしてベース板部１１に貼着してしまうという事態は組立工程の段階で回避される必要がある。なお、図７及び図８において、符号Ｗは化粧板体Ａとしての複合板の長手方向、符号Ｈは化粧板体Ａとしての複合板の縦幅方向をそれぞれ示している。
【０００８】
一方、電子機器などの分野では、飾り枠（エスカッション）を機器本体に位置決めして取り付けるための対策として、互いに嵌合可能なリブと凹みとを機器本体と飾り枠とに振り分けて具備させるという手段が知られている（たとえば、特許文献１参照）。また、また、磁気記録装置用筐体構造として、フロントパネル側のフック片と筐体側の係合孔との係合を確実に行わせるための対策として、フロントパネルに位置決め用ボス片を設けることが提案されている（たとえば、特許文献２参照）。
【先行技術文献】
【特許文献】
【０００９】
【特許文献１】特開２００７−２０８０９０号公報
【特許文献２】特開２０００−１６３９３６号公報
【発明の概要】
【発明が解決しようとする課題】
【００１０】
しかしながら、図８を参照して説明した従来例による化粧板体Ａのように、ベース板部１１と化粧パネル１５との重なり面Ｓが化粧板体Ａとしての複合板の厚さ方向Ｔに対して垂直な平坦面を形成していると、組立工程の段階で、作業者が、化粧パネル１５の縦幅方向や横幅方向を正規の方向とは逆向きにしてベース板部１１に貼着してしまうという事態の生じることが多々起こっていた。その上、開閉ドア１０の表面に文字や図柄Ｍが表示されていないものでは、化粧パネル１５がたとえベース板部１１に逆向きに貼着されてしまったとしても、そのことを外観で判断することが容易でない、という問題があった。
【００１１】
上掲の特許文献１では、リブと凹みとを利用して飾り枠を機器本体に対して位置決めするという対策が講じられ、特許文献２では、位置決め用ボス片を設けることによってフロントパネルを筐体に位置決めするという対策か講じられている。しかし、これらはいずれも、リブやボス片という突出部分を設けたり、凹みという凹入部分を部材に設けたりしている。そのため、本発明が対象としての複合板でなる化粧板体Ａのように、化粧パネル１５の裏面に文字や図柄Ｍなどを印刷したり背景色を印刷したりするものに対して上掲の特許文献によって提案されている対策を講じると、上記の突出部分や凹入部分がじゃまになって化粧パネル１５の裏面全体に印刷を施すことが困難になるという問題が生じる。
【００１２】
本発明は、以上の問題に鑑みてなされたものである。すなわち、本発明は、組立工程の段階で、作業者が化粧パネルを手で触るだけでその縦幅方向及び横幅方向を容易にかつ確実に認識できるようになり、しかも、化粧パネルの裏面の全体に容易に印刷を施すことが可能になるような対策を講じることによって、化粧パネルの縦幅方向及び横幅方向の向きを間違わずにベース板部に貼着することができるようにすることを目的とする。併せて、仮に化粧パネルの縦幅方向及び横幅方向の向きを逆向きにしてベース板部に貼着してしまったときには、その外観を見るだけで容易にそのことを判断することのできる電気機器の化粧板体を提供することを目的とする。
【課題を解決するための手段】
【００１３】
本発明に係る化粧板体は、ベース板部とこのベース板部に重ね合わされて貼着された化粧パネルとを有する正面視矩形又は正面視略矩形の複合板でなる。そして、上記ベース板部と上記化粧パネルとの重なり面が、上記複合板の厚さ方向に対して上記複合板の一端縁からその反対側の他端縁に向かって傾斜している。
【００１４】
この構成を採用すると、ベース板部と化粧パネルとの重なり面が、複合板の厚さ方向に対して複合板の一端縁からその反対側の他端縁に向かって傾斜していることにより、ベース板部に貼着する前の化粧パネルでも、その裏面が一端縁から他端縁に向かって傾斜していることになる。そのため、作業者は、組立工程の段階で化粧パネルを手で触ったり目で見たりするだけで、その化粧パネルの縦幅方向及び横幅方向の向きを認識することが容易に可能になる。そのため、作業者は、組立工程の段階で、化粧パネルを正規の向きにしてベース板部に貼着することが容易に可能になる。また、化粧パネルをベース板部に貼着した後では、複合板でなる化粧板体Ａの一端縁や他端縁の厚さを、手で触ったり目で見たりするだけで、化粧パネルがベース板部に正規の向きに貼着されているか否かを容易に判断することが可能になる。
【００１５】
また、化粧パネルの裏面に突出部分や凹入部分を設ける必要がないので、化粧パネルの裏面の全体に印刷を施すことも容易である。
【００１６】
本発明において、上記重なり面は、その全体が平坦面によって形成されていることが望ましい。この構成であると、化粧パネルの裏面全体に印刷を容易に施すことが可能でなる。
【００１７】
本発明では、上記化粧パネルが表面光沢を有する透明な樹脂板でなり、上記ベース板部に重なり合っている上記樹脂板の裏面に印刷が施されている、という構成を採用することが可能であり、このものによると、化粧パネルの裏面に施された印刷が化粧パネルの表面に浮き出て見えるようになる。したがって、この化粧板体によって図６に示したような開閉ドアを形成すると開閉ドア１０の外観品位を高めることが可能である。この場合でも、上記重なり面は、その全体が平坦面でなりかつ当該複合板の縦幅方向の一端縁から縦幅方向の他端縁に向かって傾斜していると、化粧パネルの裏面全体に印刷を容易に施すことができるという利点がある。
【発明の効果】
【００１８】
以上のように、本発明によれば、組立工程の段階で、作業者が、化粧パネルの縦幅方向及び横幅方向の向きを間違うという事態が起こりにくくなるだけでなく、組立後に仮に化粧パネルの縦幅方向及び横幅方向の向きが逆向きになっていても、そのことを容易に判断することが可能になる。その上、化粧パネルの裏面の全体に容易に印刷を施すことも可能になる。そのため、本発明の化粧板体を採用して電気機器の開閉ドアなどを製作すると、組立ミスによる不良品の発生が抑えられるだけでなく、開閉ドアひいては電気機器の外観品位を高めやすくなる。
【図面の簡単な説明】
【００１９】
【図１】本発明の実施形態に係る化粧板体を用いて製作された開閉ドアの要部概略分解側面図である。
【図２】化粧板体を利用した開閉ドアをフロントパネルの開口窓に取り付けた事例の縦断側面図である。
【図３】化粧板体を利用した開閉ドアをフロントパネルの開口窓に取り付けた他の事例の縦断側面図である。
【図４】化粧板体の他の実施形態を示した概略斜視図である。
【図５】化粧板体のさらに他の実施形態を示した縦断側面図である。
【図６】化粧板体としての複合板が開閉ドアに採用されている電気機器の要部を示した縦断面図である。
【図７】開閉ドアの概略正面図である。
【図８】従来例による化粧板体としての複合板を用いて製作された開閉ドアの概略分解側面図である。
【発明を実施するための形態】
【００２０】
図１は本発明の実施形態に係る化粧板体Ａとしての複合板を用いて製作された開閉ドア１０の要部を示した概略分解側面図である。この実施形態において、化粧板体Ａを形成する複合板は、ベース板部１１とこのベース板部１１に貼着される化粧パネル１５とを有していて、ベース板部１１はアーム２３（図６又は図８参照）と共に樹脂で一体成形されている。そして、ベース板部１１に化粧パネル１５を粘着剤を介して貼着することによって、化粧板体Ａとしての正面視矩形又は正面視略矩形の複合板が製作され、その複合板が図６を参照して説明したような開閉ドア１０として使用される。
【００２１】
図１によって判るように、ベース板部１１と化粧パネル１５との重なり面Ｓは、化粧板体Ａとしての複合板の厚さ方向Ｔに対して一定の勾配を持って傾斜している。図例では、上記重なり面Ｓの傾斜勾配が、複合板の縦幅方向Ｈの一端縁（上端縁）ａから他端縁（下端縁）ｂに向かうように形成されている。また、上記重なり面Ｓは、その全体が、複合板の全幅に亘る平坦面によって形成されていて、化粧パネル１５側の裏面全体には無彩色あるいは有彩色の背景色が印刷されていて、化粧パネル１５自体はアクリル樹脂などの高度の透明性を有する樹脂板でなる。印刷層を符号１６で示してある。
【００２２】
図１に示したよう、ベース板部１１に貼着する前の化粧パネル１５は、その裏面（重なり面Ｓ）が一端縁ａから他端縁ｂに向かう勾配を有して傾斜している。そのため、組立工程の段階では、作業者が化粧パネル１５の一端縁ａや他端縁ｂを手で触ったり目で見たりしてどちらが厚いかを観察したり、裏面の傾斜を触ったり目で見たりして裏面がどの向きに傾斜しているかを観察したりするだけで、化粧パネル１５の縦幅方向及び横幅方向の向きを認識することが容易に可能である。そのため、作業者は、組立工程の段階で、化粧パネル１５を正規の向きにしてベース板部１１に貼着することが容易に可能である。
【００２３】
化粧パネル１５をベース板部１１に貼着する組立工程では、ベース板部１１に対する化粧パネル１５の位置決めが組立治具の機能によって行われる。化粧パネル１５をベース板部１１に貼着した後では、複合板でなる化粧板体Ａの一端縁や他端縁の厚さを、手で触ったり目で見たりするだけで、化粧パネルがベース板部に正規の向きに貼着されているか否かを容易に判断することが可能になる。
【００２４】
また、実施形態のように化粧板体Ａを開閉ドア１０として利用しているものでは、フロントパネル２０の開口窓２１にその開閉ドア１０を取り付けることによって、化粧パネル１５が正規の向きでベース板１１に貼着されているか否かを容易に知ることができる。この点を図２及び図３を参照して説明する。
【００２５】
図２は複合板でなる化粧板体Ａを利用した開閉ドア１０をフロントパネル２０の開口窓２１に取り付けた事例の縦断側面図、図３は複合板でなる化粧板体Ａを利用した開閉ドア１０をフロントパネル２０の開口窓２１に取り付けた他の事例の縦断側面図である。
【００２６】
図２に示した事例では、化粧パネル１５が正規の向きでベース板１１に貼着されてなる化粧板体Ａが開閉ドア１０に利用されている。このような事例では、開閉ドア１０が図示のように開閉窓２１を塞いでいる状態のときに、開閉ドア１０の縦幅方向の一端縁及び他端縁がフロントパネル２０の前面に対して異様に入り込んだ位置になったり異様に突き出した位置になったりすることはない。したがって、開閉窓２１への開閉ドア１０の取付け状態を観察するだけで、化粧パネル１５が正規の向きでベース板１１に貼着されている、ということが判る。
【００２７】
図３に示した事例では、化粧パネル１５が正規の向きとは逆向き、すなわち縦幅方向の及び横幅方向が逆向きになったままベース板１１に貼着されてなる化粧板体Ａが開閉ドア１０に利用されている。このような事例では、開閉ドア１０が図示のように開閉窓２１を塞いでいる状態のときに、開閉ドア１０の縦幅方向の一端縁及び他端縁がフロントパネル２０の前面に対して異様に入り込んだ位置になったり異様に突き出した位置になったりする。したがって、開閉窓２１への開閉ドア１０の取付け状態を観察するだけで、化粧パネル１５が正規の向きとは逆向きになったままベース板１１に貼着されている、ということが判る。
【００２８】
図４は複合板でなる化粧板体Ａの他の実施形態を示している。この実施形態では、ベース板部１１と化粧パネル１５との平坦な重なり面Ｓの傾斜勾配が、化粧板体Ａとしての複合板の横幅方向Ｗの一端縁（左端縁）ｃから他端縁（右端縁）ｄに向かうように形成されている。このものによっても、図１〜図３を参照して説明したところと同様の作用が発揮される。
【００２９】
図５は複合板でなる化粧板体Ａのさらに他の実施形態を示している。この実施形態では、ベース板部１１と化粧パネル１５との平坦な重なり面Ｓが、化粧板体Ａとしての複合板の厚さ方向Ｔに対して傾斜していると共に、その複合板の縦幅方向の一端縁ａから他端縁ｂに向かってうねるように湾曲している。このものによっても、図１〜図３を参照して説明したところと同様の作用が発揮される。
【００３０】
ところで、化粧パネル１５の裏面全体に印刷を施す場合、その裏面全体が平坦面であると一様な印刷処理を容易に行うことができるのに対し、その裏面に部分的に凹凸、特に段付状の凹凸が存在していたりすると印刷処理を一様に行えなくなったり、全面に印刷することができなくなったりする。この点に関して、図１や図４に示した化粧パネル１５は、その裏面全体が平坦面であるので一様な印刷処理を容易に行うことができる。これに対し、図５に示した化粧パネル１５では、その裏面全体が一方向に向かってうねるように湾曲しているけれども、段付状の凹凸を有しているものではないので、裏面全体に一様な印刷処理を比較的容易に行うことが可能である。
【符号の説明】
【００３１】
Ａ  化粧板体
Ｈ  複合板の縦幅方向
Ｓ  ベース板部と化粧パネルとの重なり面
Ｔ  複合板の厚さ方向
ａ  複合板の一端縁
ｂ  複合板の他端縁
１０  開閉ドア
１１  ベース板部
１５  化粧パネル
１６  印刷層
２０  フロントパネル
２１  開口窓
【図１】
2010272822.tif 000003
【図２】
2010272822.tif 000004
【図３】
2010272822.tif 000005
【図４】
2010272822.tif 000006
【図５】
2010272822.tif 000007
【図６】
2010272822.tif 000008
【図７】
2010272822.tif 000009
【図８】
2010272822.tif 000010